(57)【要約】【課題】  多数の標準ケージ中に車両重量が大きい特殊車両を搭載できる少数の特殊ケージを簡単に備えさせることができる循環式駐車装置を提供すること。【解決手段】  駐車塔４内に設けた上部スプロケット６と下部スプロケット７との間に無端の主務チェーン８を巻き掛け、この主務チェーン８に所定間隔をもって多数のアタッチメントリンク１１を取着し、これら各アタッチメントリンク１１に、車両搭載用車台２１と、この車台２１の長手方向の前後端に立設したケージ枠と、該ケージ枠の上端を繋いで前記アタッチメントリンク１１に吊り下げる連結軸２５、懸吊軸２６とを備えた車両搭載用ケージをそれぞれ吊り下げてケージ群４５を構成し、このケージ群４５に、前記車両搭載用車台２１とケージ枠２２，２３と連結軸２５、懸吊軸２６とが標準車両を搭載することが可能な標準ケージ１２と、この標準ケージ１２のケージ枠２２，２３を特殊ケージ枠４２，４３にして強度を上げて重量諸元が超過する特殊車両Ｍ２が搭載可能な少数の特殊ケージ１３とを混在させる。【選択図】  図１
2009013705.tif 000002
【特許請求の範囲】
【請求項１】
駐車塔内に設けた対のスプロケットの間に無端の主務チェーンを巻き掛け、該主務チェーンに所定間隔をもって多数の吊下部材を取着し、
該各吊下部材に、車両搭載用車台と、該車台の長手方向の前後端に立設したケージ枠と、該ケージ枠の上部を連結して前記吊下部材に吊り下げる軸とを備えた車両搭載用ケージをそれぞれ吊り下げてケージ群を構成した循環式駐車装置において、
前記ケージ群に、前記車両搭載用車台とケージ枠と連結軸とが標準車両を搭載することが可能な多数の標準ケージと、
該標準ケージのケージ枠のみの強度を上げて重量諸元が超過する特殊車両を搭載することが可能な少数の特殊ケージとを混在させたことを特徴とする循環式駐車装置。
【請求項２】
前記特殊ケージを、前記標準ケージ枠の外径を太くすることで形成した請求項１に記載の循環式駐車装置。
【請求項３】
前記特殊ケージを、前記スプロケットに巻き掛けた主務チェーンのほぼ対向位置に配置した請求項１又は請求項２に記載の循環式駐車装置。
【請求項４】
前記特殊ケージを、全ケージ数の１割以下の数とした請求項１〜３のいずれか１項に記載の循環式駐車装置。
【発明の詳細な説明】
【技術分野】
【０００１】
本発明は、複数のケージを循環させる循環式駐車装置に関するものである。
【背景技術】
【０００２】
従来、一般的な循環式駐車装置として、柱、梁、ブレース等で形成された駐車塔の梁（構造物）の前後に設けられたそれぞれ１対の上部スプロケットと下部スプロケットとの間に２条の無端チェーンを巻き掛け、この巻き掛けられた２条の無端チェーンに所定間隔をもって多数の吊下部材（以下、「アタッチメントリンク」ともいう）を取着し、前後の各々対応する吊下部材間に車両搭載用ケージをそれぞれ吊り下げてケージ群を構成したものがある。このような循環式駐車装置は、駐車装置の下部又は上部に乗り入れ部（入出庫口）が設けられ、この乗り入れ部から前記車両搭載用ケージに乗り入れられる。
【０００３】
前記各ケージの一般的な構造としては、左右に２条の凹状車路を形成して車両乗り入れ方向に細長い車台（パレット）と、上方に向うに従い前後方向が互いに離反するように傾斜した門形（逆Ｕ字形）の前側ケージ枠と後側ケージ枠と、この前側ケージ枠と後側ケージ枠の上部中央部にそれぞれ固設したブラケット板と、この両ブラケット板間を連結する連結軸と、前記ブラケット板の前後方向外方に同芯状に突設され端部を前記吊下部材の先端部に枢着した懸吊軸とから構成されている。
【０００４】
また、前記駐車塔４の上方の梁上にマシンベースが架設され、このマシンベースに前記ケージ群を循環させる駆動源が設置されている。この駆動源は、前記上部スプロケットと連係するように設けられており、この駆動源の駆動制御によってケージ群が循環駆動される。
【０００５】
このような循環式駐車装置としては、建物とは完全に独立して設置した独立鉄塔型、建物のボイド内に独立鉄塔として組み込んだビル内鉄塔型、及びビルの躯体に直接組み込んだビル組込型等、種々の据付方式があるが、何れにしても、所定の収容対象車両の諸元（車長、車幅、車高、タイヤ外寸、車重等）、収容台数、及び駐車装置全体の敷地面積や全高等の仕様に基づき緻密な構造強度計算が行われ、安全率を加味した材料力学的及び構造力学的検討に基づき、鉄骨構造体（柱、梁、ブレース、マシンベース等）、循環駆動系（主務チェーン、減速機・モータ等）、及びケージの各部位（車台、ケージ枠、連結軸、懸吊軸等）の材質や寸法が定められている。
【０００６】
なお、この種の従来技術として、上部スプロケットと下部スプロケットの間に掛け回された無端の主務チェーンに複数のケージを吊り下げた循環式駐車装置がある（例えば、特許文献１参照）。
【特許文献１】特開２００６−１５２５５２号公報
【発明の開示】
【発明が解決しようとする課題】
【０００７】
ところで、前記循環式駐車装置におけるケージは、所定の諸元（車長、車幅、車高、タイヤ外寸、車重等）の対象車両が駐車できるように、全ケージの各部位は同一寸法と形状（車台やケージ枠等）で製作されており、その諸元がケージの使用条件として明記されている。
【０００８】
一方、マンション併設の駐車装置等では、全ケージ又は一部のケージについて車両の車種・車名・車台番号等で特定されて賃貸契約が結ばれることがある。そして、その様な既設の循環式駐車装置においては、利用者が車の買い替え後も賃貸契約を継続してその駐車装置の使用継続をしたいという要望が多い。しかし、セダンタイプ等の大型普通車の中には、外観では所定の諸元を全て充足しているようでも車重のみ超過するような特殊な諸元を有する車両（以下、単に「特殊車両」という）が存在する。そのため、前記したように利用者が買い替えた後の車両がこの特殊車両であれば、賃貸契約をしているケージの使用条件の諸元を一つ充足しなくなり、賃貸契約を解除せざるを得なくなる。この場合、利用者は新たな駐車場所を探して賃貸契約を結ばなければならないが、利用可能な駐車場所が見つかるとは限らない。
【０００９】
そのため、同一の駐車装置において特殊車両に対応できるケージを備えさせてほしいという要望が高い。しかも、近年、車種の多様化により、この種の循環式駐車装置において収容台数の１割程度（例えば、１２〜４０台収容可能な駐車装置では１〜３台）は、特殊車両を収容可能にしたいという要求が高まっている。
【００１０】
しかし、前記特許文献１のように全て同一のケージが設けられたケージ群の一部を特殊車両に対応させるために広幅ケージや高ケージに交換しようとすると、非常に大掛かりな作業が必要となり、多くの時間と労力とを要すると共に既設の駐車装置を改造する場合には稼働率を落としてしまう。
【００１１】
そこで、本発明は、多数の標準ケージ中に車両重量が大きい特殊車両を搭載できる少数の特殊ケージを簡単に備えさせることができる循環式駐車装置を提供することを目的とする。
【課題を解決するための手段】
【００１２】
前記目的を達成するために、本発明は、駐車塔４内に設けた対のスプロケットの間に無端の主務チェーンを巻き掛け、該主務チェーンに所定間隔をもって多数の吊下部材を取着し、該各吊下部材に、車両搭載用車台と、該車台の長手方向の前後端に立設したケージ枠と、該ケージ枠の上部を連結して前記吊下部材に吊り下げる軸とを備えた車両搭載用ケージをそれぞれ吊り下げてケージ群を構成した循環式駐車装置において、前記ケージ群に、前記車両搭載用車台とケージ枠と連結軸とが標準車両を搭載することが可能な多数の標準ケージと、該標準ケージのケージ枠のみの強度を上げて重量諸元が超過する特殊車両を搭載することが可能な少数の特殊ケージとを混在させている。この明細書及び特許請求の範囲の書類中における「特殊ケージ」は、車両重量諸元のみが「標準ケージ」と異なるケージをいう。これにより、多数の標準ケージが設けられたケージ群中に、重量諸元が超過した特殊車両を収容できる特殊ケージを混在させることが容易にできる。
【００１３】
また、前記特殊ケージを、前記標準ケージ枠の外径を太くすることで形成してもよい。これにより、標準ケージの構成部材を一部変更することにより特殊ケージとすることができる。
【００１４】
さらに、前記特殊ケージを、前記スプロケットに巻き掛けた主務チェーンのほぼ対向位置に配置するのが好ましい。これにより、重量の大きな車両を特殊ケージに収容した状態で主務チェーンに作用する荷重バランスを好ましい状態にすることができる。
【００１５】
また、前記特殊ケージを、全ケージ数の１割以下の数とすれば、既設の循環式駐車装置においても簡単な作業で標準ケージを特殊ケージにして特殊車両を受入れることができるようにできる。
【発明の効果】
【００１６】
本発明は、以上説明したような手段により、新設、既設の循環式駐車装置において、ケージ枠の交換のみの簡単な作業で重量諸元超過の特殊車両を収容できるようにすることが可能となる。
【発明を実施するための最良の形態】
【００１７】
以下、本発明の一実施の形態を図面に基づいて説明する。図１は、本発明の実施の形態に係る循環式駐車装置における駐車塔内の全体正面図であり、図２は、図１のII−II矢視拡大断面図、図３(a) は本発明の実施の形態に係るケージの斜視図、図３(b) は図３(a) のIII部拡大図、図４(a) は図２に示すIVa−IVa断面図、図４(b) は同IVb−IVb断面図である。この明細書及び特許請求の範囲の書類中では、駐車装置の正面に向った状態で、右側、左側、入口側を前側、奥側を後側という。
【００１８】
図１，２に示すように、循環式駐車装置１は、鉄骨柱２と梁３等で枠組みされた鉄骨構造体の駐車塔４を有している。駐車塔４の鉄骨柱２の外側には、外装板５が設けられている。駐車塔４の内部には、上下に離間した位置に前後一対の上スプロケット６と下スプロケット７とが設けられている。これら前後一対の上スプロケット６と下スプロケット７との間には、無端状の主務チェーン８が巻き掛けられている。主務チェーン８は、駐車塔４の上方の梁３上に架設されたマシンベース９に設けられたモータ等の循環駆動機１０によって回転させる上スプロケット６により回動させられる。また、主務チェーン８には、所定ピッチごとにＴ字形のアタッチメントリンク１１（吊下部材）が設けられ、これらのアタッチメントリンク１１に車両Ｍ１，Ｍ２を搭載するケージ１２，１３が吊り下げられてケージ群４５を構成している。
【００１９】
前記車両Ｍ１は、循環式駐車装置１の標準諸元を満たす標準車両Ｍ１であり、車両Ｍ２は、重量諸元のみが超過する特殊車両Ｍ２である。また、ケージ１２は、前記標準車両Ｍ１を収容できる標準ケージ１２であり、ケージ１３は、前記特殊車両Ｍ２を収容できる特殊ケージ１３である。この実施の形態では、複数の標準ケージ１２の内の１つのケージが特殊ケージ１３に構成されて混在している。図１における、右側中央部のケージが特殊ケージ１３である。
【００２０】
図３(a) に示すように、前記標準ケージ１２は、中央隆起部１９の両側部に凹状車路２０と側部立上り部１８が形成された車両搭載用の車台２１と、この車台２１の前側（入口側）と後側（奥側）とに設けられた門形（逆Ｕ字形）の前側ケージ枠２２と後側ケージ枠２３と、これら前側ケージ枠２２と後側ケージ枠２３の上部に設けられたブラケット板２４と、これらのブラケット板２４の上端中央部を連結する連結軸２５と、この連結軸２５に同芯状（偏芯状の場合もある）に設けられて前側ケージ枠２２と後側ケージ枠２３の外方（前後方向）に突設された懸吊軸２６とを備えている。この懸吊軸２６の前・後先端部が、前記アタッチメントリンク１１の外方に突出した先端部に吊り下げられている。また、前側ケージ枠２２の上部角部には、収容する車両の大きさを制限する車両進入制限部材３６が設けられている。図３(b) に示すように、前側ケージ枠２２と後側ケージ枠２３とは、下部が取付ブラケット２７を介してボルト２８で車台２１に固定されている。図３(a) に示すように、この図では、入出庫口１４が設けられた乗入部のケージ１２を図示しており、車台２１が浅いピットＰに収まって車両を乗入れる状態を示している。
【００２１】
さらに、車台２１には、ケージ下部を案内するための下ローラ２９が前後左右に設けられ、後側ケージ枠２３の上部に設けられたブラケット板２４の両側部には肩ローラ３０が設けられている。肩ローラ３０は、前後のケージ枠２２，２３のうちの一方（通常、奥側の後側ケージ枠２３）にのみ設置される。
【００２２】
そして、この実施の形態では、前記標準ケージ１２の内の１つのケージが前記特殊ケージ１３に構成されている。図３(a) で説明するが、この特殊ケージ１３は、前記標準ケージ１２の前側ケージ枠２２と後側ケージ枠２３とを、太径の前側特殊ケージ枠４２と後側特殊ケージ枠４３とに取換えて強度を上げたものである。
【００２３】
図４(a) に示すように、前記標準ケージ１２のケージ枠２２，２３の直径Ｄ１に対し、図４(b) に示すように、特殊ケージ１３の特殊ケージ枠４２，４３の直径Ｄ２は大径化されており、これによって所定の強度向上が図られている。特殊ケージ１３の直径Ｄ２としては、特殊ケージ１３に収容可能とする車両重量の超過分を決定し、その強度を保つように標準ケージ１２の直径Ｄ１（＋α）が決定される。この特殊ケージ１３のように、ケージ枠２２，２３を特殊ケージ枠４２，４３に大径化したとしても、図２に示すように、ケージを他の構造体部位に干渉させることなく、標準ケージ１２を補強した特殊ケージ１３とすることができる。
【００２４】
このように、標準ケージ１２と特殊ケージ１３とは、車台２１や連結軸２５及び懸吊軸２６等は全く同一の寸法形状のままとし、標準ケージ１２の前側ケージ枠２２と後側ケージ枠２３のみを、直径が大径の前側特殊ケージ枠４２と後側特殊ケージ枠４３とに交換して強度的に補強した特殊ケージ１３として、車重超過の車両を搭載可能としている。この特殊ケージ１３によれば、例えば、約２００ｋｇ程度の車両重量超過に対応できるようなケージとすることができ、これにより、車両外形の諸元は標準ケージ１２の規定内に収まるが、重量諸元が標準ケージ１２の規定重量を超えるような特殊車両Ｍ２を収容することができる。
【００２５】
循環式駐車装置１にこの特殊ケージ１３を備えさせる台数としては、材料力学的及び構造力学的検討により各部材や機器の既定の安全率に照らして決定されるが、新設又は既設の循環式駐車装置１において、収容台数の大半を所定の諸元を全て充足する標準ケージ１２とし、少数（１〜３台程度）を車重の諸元のみ超過する車両用の特殊ケージ１３として混在させるのが好ましい。この特殊ケージ１３の数は、全ケージ数の１割以下の数とすれば、駐車塔４に構造変更を生じることなく対応できて好ましい。これにより、既設の駐車装置の改造に際しては、大多数のケージは標準ケージ１２としてそのまま利用し、１〜２台の標準ケージ１２についてのみ大径の前側特殊ケージ枠４２と後側特殊ケージ枠４３と（丸鋼管）に交換するのみで特殊ケージ１３とすることができるので、容易に特殊車両Ｍ２が収容できる特殊ケージ１３を構成することができる。
【００２６】
その上、標準ケージ１２をこのような特殊ケージ１３とする作業は、前記したアタッチメントリンク１１に吊下げた懸吊軸２６を取外すと共に、前側ケージ枠２２と後側ケージ枠２３とを車台２１に固定している取付ブラケット２７のボルト２８を取外し、これらのケージ枠２２，２３を大径の前側特殊ケージ枠４２と後側特殊ケージ枠４３とに交換すると共に大径用の取付ブラケット４４に交換し、そして、取付ブラケット４４で前側特殊ケージ枠４２と後側特殊ケージ枠４３の下部をボルト２８で車台２１に固定し、前側特殊ケージ枠４２と後側特殊ケージ枠４３との上部に設けたブラケット板２４の懸吊軸２６をアタッチメントリンク１１に吊下げる、という簡単なケージ枠の交換作業で完了するため、短時間で容易に行うことができる。
【００２７】
一方、図１に示すように、駐車塔４には、前記下ローラ２９を案内する内直線ガイド３１と外直線ガイド３２とが循環経路Ｒの垂直部分に設けられている。これにより、ケージ１２，１３が駐車塔４の垂直方向に移動する時には、下ローラ２９が内直線ガイド３１と外直線ガイド３２とに案内されて循環経路Ｒを安定して上下動できるように構成されている。この時、図２に示すように、主務チェーン８は、ガイドローラ３３が梁３に設けられたチェーンガイド３４によって案内されている。さらに、図１に示すように、駐車塔４の循環経路Ｒにおける上側反転部と下側反転部とには、前記肩ローラ３０を案内する反転ガイドレール３５が設けられている。これらにより、ケージ１２，１３が駐車塔４の上側反転部と下側反転部とで反転する時には、肩ローラ３０が上部と下部の反転ガイドレール３５に係合して案内される。
【００２８】
これらの構成により、懸吊軸２６で吊り下げられたケージ１２，１３は、車台２１に設けられた下ローラ２９によって垂直方向移動時の左右揺動が規制され、後側ケージ枠２３に設けられた肩ローラ３０によって、上下反転時の左右揺動が規制され、ケージ１２，１３の循環移動は、駐車塔４の上下方向中間の鉛直位置では直線軌道を描き、上下部では反転軌道を描きながら移動するようになっている。この駐車塔４の地上階には、車両Ｍ１，Ｍ２をケージ１２，１３に入出させる入出庫口１４が設けられている。
【００２９】
したがって、この垂直循環式駐車装置１によれば、前記マシンベース９に設けられたモータ等の循環駆動機１０によって上スプロケット６を回転させることにより、前記主務チェーン８が回転させられてケージ群４５が循環経路Ｒを循環移動させられ、駐車塔４の最下部に位置する入出庫口１４に停止させられたケージ１２，１３に車両Ｍ１，Ｍ２の乗り入れ又は乗り出しを行うことができる。
【００３０】
図５は、図１に示す循環式駐車装置の入出庫口を外部から見た正面図であり、図６は、図５の運転操作盤の詳細を示す正面図である。図５に示すように、前記駐車装置１の入出庫口１４に設けられた扉１５の横には運転操作盤５０が設けられており、この運転操作盤５０を操作することによって車両Ｍ１，Ｍ２の収容操作が行われる。
【００３１】
図６に示す運転操作盤５０は一例であり、上部には、空車台数表示部５１と、実車台数表示部５２と、入口番号表示部５３と、呼番号表示部５４と、待時間表示部５５とが設けられている。これらの表示部には、数字が電光表示されるようになっている。また、これらの表示部５１〜５５の下方には、ケージ番号選択ボタン５６が設けられている。この実施の形態の駐車装置１には１２個のケージが設けられ、１番目〜１１番目のケージが標準ケージ１２（上述した図１に（Ｎｏ．１）〜（Ｎｏ．１１）を付す）で、１２番目のケージが特殊ケージ１３となっている。このケージ番号選択ボタン５６は、例えば、利用者が賃貸契約をしているケージを直接呼ぶ場合に押される。
【００３２】
さらに、このケージ番号選択ボタン５６の下方には、安全確認ボタン５７と、空呼ボタン５８と、扉１５を閉鎖する扉閉ボタン５９と、扉１５を開放する扉開ボタン６０と、操作の取消しを行う取消ボタン６１とが設けられている。これらのボタンの下方には、制御電源スイッチ６２と、運転するモードを選択する運転モード選択スイッチ６３と、ケージの回転方向を指定するケージ回転スイッチ６４と、非常停止スイッチ６５とが設けられている。利用者はこれらのボタン５６〜６１やスイッチ６２〜６５を操作して、自分の車両を目的のケージ１２，１３に収容する操作を行う。
【００３３】
また、図５に示すように、前記運転操作盤５０の下方には、消火設備起動操作箱６６が設けられており、火災発生時等に開けて消火設備の起動操作が行われる。さらに、前記運転操作盤５０の上方には、循環式駐車装置１に収容できる車両Ｍ１，Ｍ２に関する注意書きが記載された収容車制限銘板６７と収容注意銘板６８とが設けられている。
【００３４】
なお、この実施の形態では、入出庫口１４の上部に赤灯や緑灯等の入庫案内表示器６９が設けられ、側部に非常口７０が設けられている。また、入出庫口１４の奥側に位置する駐車塔４の内部には、入庫している状態を利用者に示す入庫誘導案内表示器７１と、利用者が入庫している状態を確認しながら進入するためのミラー７２とが設けられている。
【００３５】
図７は、図１に示す循環式駐車装置における「収容車制限諸元」に対する各車両の適合性チェック表の一例であり、図８は、図５に示す循環式駐車装置の入出庫口における「収容車制限銘板」の一例を示す正面図である。図７は、本発明者が市販されている２０車種の車両諸元についてまとめたものである。
【００３６】
図７に示すように、市販されている２０車種の車両諸元に基づいて、車長Ｌ１、車幅Ｌ２、車高Ｈ、タイヤ外寸Ｌ３、車重Ｗについて調べた結果、「車両名Ｎｏ．１〜１２」の車両は、「×」チェックの諸元が無いので、この駐車装置１においては標準ケージ１２への収容が可能である。また「車両名Ｎｏ．１３〜１８」の車両は、車重以外の諸元で「×」チェックの諸元があるので、この駐車装置１においては標準ケージ１２及び特殊ケージ１３共に収容は不可能である。さらに「車両名Ｎｏ．１９，２０」の車両は、「×」チェックの諸元が重量のみであるため、この駐車装置１においては、別途定めた車重Ｗ１までの重量の車両に限り、特殊ケージ１３への収容が可能である。
【００３７】
そして、図８に示すように、前記収容車制限銘板６７には、「収容できる車の諸元」として、車長  Ｌ１（ｍｍ）以下、車幅  Ｌ２（ｍｍ）以下、車高  Ｈ（ｍｍ）以下、タイヤ外寸  Ｌ３（ｍｍ）以下、車重  Ｗ（ｋｇ）以下、等の諸元が記載されている。また、これらの諸元の横には、これらの寸法位置を示す車両図７３も記載されている。しかも、この収容車制限銘板６７には、前記特殊ケージ１３に収容可能な車重Ｗ１が明記されている。この車重Ｗ１は、標準ケージ１２に収容できる車両の車重Ｗよりも大きく、特殊ケージ１３の仕様に応じて決定される。このような収容車制限銘板６７を入出庫口１４に掲示することにより、循環式駐車装置１に収容させようとする利用者に車両重量によって標準ケージに収容できないことの注意を促すようにしている。また、前記収容注意銘板６８には、収容車制限銘板６７に記載されている諸元を満たさない車両は収容できないこと、等が記載されている。
【００３８】
以上のように構成された循環式駐車装置１によれば、ケージ群４５に設けられた多数の標準ケージ１２には、標準仕様に設定されている諸元の標準車両Ｍ１を収容することができ、この標準仕様の諸元の内の重量のみが超えている特殊車両Ｍ２は特殊ケージ１３に収容することができるので、同一の循環式駐車装置１に重量諸元の異なる標準車両Ｍ１と特殊車両Ｍ２とを収容できるケージを混在させることができる。
【００３９】
しかも、新設の循環式駐車装置１であっても既設の循環式駐車装置１であっても、鉄骨構造体（柱・梁・マシンベース）や機器類の変更が全く不要で、ケージ枠２２，２３（４２，４３）の交換のみの簡単な作業によって標準ケージ１２と特殊ケージ１３とを混在させることができるので、安価且つ短時間の改造工事により車重諸元超過の特殊車両Ｍ２も少数ながら収容受け入れ可能とすることができ、駐車装置１の稼動（利用）率向上を図ることができる。
【００４０】
したがって、循環式駐車装置１に収容可能な車種を増やすことが容易にでき、近年の車種多様化に容易に対応できる循環式駐車装置１を構成することができる。
【００４１】
なお、前記実施の形態ではケージ枠２２，２３，４２，４３を丸管材で構成しているが、ケージ枠２２，２３，４２，４３の断面形状は他の断面形状であってもよく、丸管材に限定されるものではない。
【００４２】
また、前記実施の形態では、ケージ群４５に１台の特殊ケージ１３を設けているが、ほぼ対向する位置（図１の場合はＮｏ．７位置の標準ケージ１２）を特殊ケージ１３とすれば、主務チェーン８に作用する荷重バランスを好ましい状態にできると共に、特殊ケージ１３を入出庫口１４へ迅速に呼ぶことができる。
【００４３】
さらに、前記実施の形態では垂直循環式駐車装置１を例に説明したが、他の形式の循環式駐車装置であっても同様に実施可能である。
【００４４】
また、前述した実施の形態は一例を示しており、本発明の要旨を損なわない範囲での種々の変更は可能であり、本発明は前述した実施の形態に限定されるものではない。
【産業上の利用可能性】
【００４５】
本発明に係る循環式駐車装置は、多数の標準ケージ中に車両重量が大きい特殊車両を搭載できる少数の特殊ケージを備えさせたい循環式駐車装置に利用できる。
【図面の簡単な説明】
【００４６】
【図１】本発明の実施の形態に係る循環式駐車装置における駐車塔内の全体正面図である。
【図２】図１のII−II矢視拡大断面図である。
【図３】(a) は本発明の実施の形態に係るケージの斜視図、(b) は(a) のIII部拡大図である。
【図４】(a) は図２に示すIVa−IVa断面図、(b) は図２に示すIVb−IVb断面図である。
【図５】図１に示す循環式駐車装置の入出庫口を外部から見た正面図である。
【図６】図５の運転操作盤の詳細を示す正面図である。
【図７】図１に示す循環式駐車装置における「収容車制限諸元」に対する各車両の適合性チェック表の一例である。
【図８】図５に示す循環式駐車装置の入出庫口における「収容車制限銘板」の一例を示す正面図である。
【符号の説明】
【００４７】
１…循環式駐車装置
８…主務チェーン
１１…アタッチメントリンク（吊下部材）
１２…標準ケージ
１３…特殊ケージ
２１…車台
２２…前側ケージ枠
２３…後側ケージ枠
２４…ブラケット板
２５…連結軸
２６…懸吊軸
２７…取付ブラケット
４２…前側特殊ケージ枠
４３…後側特殊ケージ枠
４４…取付ブラケット
４５…ケージ群
５０…運転操作盤
５６…ケージ番号選択ボタン
６７…収容車制限銘板
６８…収容注意銘板
Ｗ…車重
Ｗ１…車重
Ｍ１…標準車両
Ｍ２…特殊車両
【図１】
2009013705.tif 000003
【図２】
2009013705.tif 000004
【図３】
2009013705.tif 000005
【図４】
2009013705.tif 000006
【図５】
2009013705.tif 000007
【図６】
2009013705.tif 000008
【図７】
2009013705.tif 000009
【図８】
2009013705.tif 000010